(57)【特許請求の範囲】
【請求項１】
カラスの羽根又は黒色に着色した鶏の羽根の根本部を補強部材で補強し、該補強した根本部に該根本部を挟んで目玉模様を描いた複数枚の円板を該目玉模様が外側になるように貼り合わせた構成の目玉模様板を取り付けたことを特徴とするカラス飛来防止具。
【請求項２】
請求項１に記載のカラス飛来防止具において、
前記目玉模様は、中心部に赤色の略円形を設け、その回りに同心円状に黄色及び黒色の帯状域を順に設けたことを特徴とするカラス飛来防止具。
【発明の詳細な説明】
【０００１】
【発明の属する技術分野】
本発明はゴミ集積所、住居、駅舎、田畑等の所定の場所に、カラスが飛来することによる、ゴミの散乱、糞による汚染、収穫物の食害等の各種害を防止するためのカラス飛来防止具に関するものである。
【０００２】
【従来の技術】
従来から、農作物をカラス、鳩、ヒヨドリ等の鳥類の食害から防護するための種々の試みがなされている。例えば、爆発音を発して飛来してきた鳥類を追い出したり、案山子や目玉模様を描いたシートを吊下げたり、貼り付けたりして飛来する鳥類に警戒させ、飛来を防止する試みが多くなされている。また、特許文献１に示すように、螺旋状をした人造の又は自然の線材の少なくとも一端を地上の物体や空中の浮遊物体などに支持し、この螺旋状の線材が風などで揺れたり、動いたりできるようにしたものがある。また、特許文献２に示すように、コンパクトディスクの中心部に黄色部、黒色部、黄色部の目玉模様を形成し、このコンパクトディスクを紐部材で吊下げるようにした物などがある。
【０００３】
上記従来の鳥飛来防止手段は、実施当初は効果があり、鳥は飛来してこないが、日時の経過とともにその効果が減少し続け、やがては全くその効果がなくなるというのが現状である。特に都市部では、ゴミ集積所、住居、駅舎等のカラスや鳩の食害や糞害に悩まされ、種々の試みがなされているが、日時の経過とともにその効果が減少し続けるという問題は解決されていない。
【０００４】
【特許文献１】
特開平１１−２１５９４６号公報
【特許文献２】
特開２００２−３４４２７号公報
【０００５】
【発明が解決しようとする課題】
本発明は上述の点に鑑みてなされたもので、カラスの飛来防止に著しい作用効果を発揮するカラス飛来防止具を提供することを目的とする。
【０００６】
【課題を解決するための手段】
上記課題を解決するため請求項１に記載の発明は、カラスの羽根又は黒色に着色した鶏の羽根の根本部を補強部材で補強し、該補強した根本部に該根本部を挟んで目玉模様を描いた複数枚の円板を該目玉模様が外側になるように貼り合わせた構成の目玉模様板を取り付けたことを特徴とする。
【０００７】
請求項２に記載の発明は、請求項１に記載のカラス飛来防止具において、目玉模様は、中心部に赤色の略円形を設け、その回りに同心円状に黄色及び黒色の帯状域を順に設けたことを特徴とする。
【０００８】
上記のようにカラス飛来防止具を、カラスの羽根又は黒色に着色した鶏の羽根の根本部を補強部材で補強し、該補強した根本部に該根本部を挟んで目玉模様を描いた複数枚の円板を該目玉模様が外側になるように貼り合わせた構成の目玉模様板を取り付けた構成とし、該カラス飛来防止具を羽根の根本部に取り付けた取付部材を介して、カラスの飛来を阻止したいゴミ集積所、住居、駅舎、カラス食害を受け易い農作物を作付している農園等の風雨に曝される所定の場所に、取り付けることにより、長期間にわたり破損することなく、カラスに警戒感を与える状態を維持することができ、カラスの飛来阻止に著しい効果を発揮することが本発明者によって確認された。
【０００９】
【発明の実施の形態】
以下、本発明の実施の形態例を図面に基づいて説明する。本実施形態例では、カラスの飛来を防止するカラス飛来防止具について説明するが、本発明に係る鳥飛来防止具は、カラスに限定されるものではなく、例えば食害、糞害を受け易い、ゴミ集積所、住居、駅舎、農園等への各種害鳥の飛来を防止するのにも利用できる。
【００１０】
図１は本発明に係るカラス飛来防止具の構成例を示す図である。図１において、１はカラスの羽根であり、該羽根１の根元部に樹脂製ストロー等の補強部材２を取り付け補強すると共に、該補強部材２に樹脂や金属等の線材からなる吊り輪３を取り付ける。補強部材２には、目玉模様を描いた目玉模様板４を取り付けている。
【００１１】
図２は目玉模様を描いた目玉模様板４の構成例を示す図で、図２（ａ）は正面図、図２（ｂ）は図２（ａ）のＡ−Ａ断面図である。目玉模様板４は図示するように、目玉模様を描いた３枚の円板４−１、４−２、４−３を貼り合わせた構成でその中央部に貫通穴４−４を設けた構成である。この貫通穴４−４に補強部材２を設けた羽根１の根本部を貫通して、接着剤で接着等して３枚の目玉模様を描いた円板４−１、４−２、４−３からなる目玉模様板４を取り付ける。
【００１２】
円板４−１、４−２、４−３の夫々に、中心部に赤色の略円形領域ａを設け、その回りに同心円状に黄色の帯状域ｂ及び黒色の帯状域ｃを順に設けている。各円板４−１、４−２、４−３は厚紙でもよいが、雨等に曝されても損傷しないよう、例えば厚い樹脂板、又は厚紙に樹脂コーティングしたものが望ましい。
【００１３】
上記構成のカラス飛来防止具を吊り輪３に紐、或いは金属線等を通して、カラスの飛来を避けたい所定の領域に複数個取り付けることにより、この領域にカラスが飛来しなくなること、即ちカラスの飛来防止に抜群の作用効果を発揮することを実験的に確認した。
【００１４】
図３は本発明に係るカラス飛来防止具の他の構成例を示す図である。同図において、図１及び図２と同一符号を付した部分は、同一又は相当部分を示す。このカラス飛来防止具が図１に示すカラス飛来防止具と相違する点は、吊り輪３にビー球等の球体５を２個取付けた金属線等からなる取付け部材６を設けた点である。球体５には各種色彩（例えば、赤色、黄色、黒色等）を有する或いはその表面には各種色彩を施したものを用いる。
【００１５】
上記構成のカラス飛来防止具を取付け部材６を介して、カラスの飛来を避けたいゴミ集積所、住居、駅舎、農園等の所定の領域に複数個取り付けることにより、上記と同様、この領域にカラスが飛来しなくなること、即ちカラスの飛来防止に抜群の作用効果を発揮することを実験的に確認した。具体的には、カラスの飛来を避けたい特定の場所に本発明に係るカラス飛来防止具を置いた場合、カラスが飛んで来ても降下することなく上空を旋回するだけでやがて飛び去って行くことが何度も確認され、１羽のカラスも降下することがなかった。
【００１６】
上記構成のカラス飛来防止具において、羽根１として上記実施例では、実物のカラスの羽根を用いたが、カラスの羽根に限定されるものではなく、例えば養鶏場等で多量に得られる鶏を羽根に黒く着色したものを用いてもよいことを確認している。
【００１８】
【発明の効果】
以上説明したように本発明によれば、カラス飛来防止具を、カラスの羽根又は黒色に着色した鶏の羽根の根本部を補強部材で補強し、該補強した根本部に該根本部を挟んで目玉模様を描いた複数枚の円板を該目玉模様が外側になるように貼り合わせた構成の目玉模様板を取り付けた構成とし、該カラス飛来防止具を羽根の根本部に取り付けた取付部材を介して、カラスの飛来を阻止したいゴミ集積所、住居、駅舎、カラス食害を受け易い農作物を作付している農園等の風雨に曝される所定の場所に、取り付けることにより、長期間にわたり破損することなく、カラスに警戒感を与える状態を維持することができ、カラスの飛来阻止に著しい効果を発揮する。
【図面の簡単な説明】
【図１】本発明に係るカラス飛来防止具の構成例を示す図である。
【図２】目玉模様板の構成例を示す図で、図２（ａ）は正面図、図２（ｂ）は図２（ａ）のＡ−Ａ断面図である。
【図３】本発明に係るカラス飛来防止具の構成例を示す図である。
【符号の説明】
１            羽根
２            補強部材
３            吊り輪
４            目玉模様板
５            球体
６            取付け部材
【図１】
0003688687.tif 000002
【図２】
0003688687.tif 000003
【図３】
0003688687.tif 000004